(57)【要約】      （修正有）【課題】幅の狭い座部、背あて部及び頭あて部の上面及び下面を床面上に反転して用い大人、子供、男女及び床高に対応し得るばかりでなく、マットが柔軟であるにも拘らず、幅方向の上体支持力が安定し、かつ上下両面共に吸湿性・通風性に富み、ＮＯ２の捕集能力大な三つ折り枕を得ること。【解決手段】長方形薄マット１、ほぼ直角３角形マット２及びほぼ２等辺３角形マット３を１枚の畳表４で表裏接続し、かつ上記畳表４の藺草による緯条４’が上記マット１，２，３の幅Ｗ方向に織成され、その両端部表裏面を縁布８を折返して均等幅ｗに被覆し、該縁布８の内側端を緯条４’と直角方向に表裏縫着し、かつ該縁布８の折返部外側端と上記各マット１，２，３の側端面被覆布１０の縁部１０’とを重合して、該重合部を上記緯条４’の外端部と共に緯条４’と直角方向に表裏縫着してなる三つ折り枕。【選択図】  図１
2008029390.tif 000002
【特許請求の範囲】
【請求項１】
縦断面長方形薄マットの一面、縦断面ほぼ直角３角形マットの底面及び縦断面ほぼ２等辺３角形マットの１辺を１枚の畳表で接続し、
上記畳表を上記２等辺３角形マットの１辺を経て底辺から他辺に折返して該２等辺３角形マットを被覆し、さらにほぼ３６０度折返して上記直角３角形マットの直交２辺を被覆し、
さらにほぼ３６０度折返して上記長方形薄マットの基端面、他面及び先端面を被覆し、
上記３６０度折返し部及び上部長方形薄マットの先端面において接する畳表を縫着してなり、
かつ上記畳表の藺草による緯条が上記マットの幅方向に織成され、その両端部表裏面を縁布を折返して被覆し、
該縁布の内側端を緯条と直角方向に表裏縫着し、かつ該縁布の折返部外側端と上記各マットの側端面被覆布の縁部とを重合して、該重合部を上記緯条の外端部と共に緯条と直角方向に表裏縫着してなる三つ折り枕。
【請求項２】
上記畳表に代り藺草による花莚を用いる請求項１記載の三つ折り枕。
【請求項３】
上記２等辺３角形マットの両隅部を枕状に円弧形に形成した請求項１記載の三つ折り枕。
【請求項４】
上記長方形薄マットの一面、上記直角３角形マットの底面及び上記２等辺３角形マットの一辺が床面に１平面を形成する請求項１又は２記載の三つ折り枕。
【請求項５】
上記長方形薄マットの他面、上記直角３角形マットの傾斜面及び上記２等辺３角形マットの一方の隅部を床面に１平面に支持される請求項１〜３のいずれかに記載の三つ折り枕。
【発明の詳細な説明】
【技術分野】
【０００１】
本発明は室内でテレビを見る際、床面に置いた床部に座り、背もたれに背中を支持し、頭部を背もたれの上端の枕に支持して、上体を倒した状態で楽にテレビを観賞するための三つ折り枕に関するものである。
【背景技術】
【０００２】
従来、テレビ等を見るための足枕付き安息マットが開発され、座部、背あて部及び頭あて部を折畳自在に接続した幅の狭いマットによって構成した。
【０００３】
各マットは硬質のウレタンフォームによって形成され、各マットの上面部に備長炭シートを貼設した（例えば特許文献１）。
【０００４】
従来の上記安息マットは上面部に柔軟な備長炭シートを貼設したものであって、該マット上に上体を支持すると備長炭シートと共に幅の狭いウレタンフォームが上体を幅方向に傾倒し易く、特に背あて部及び頭あて部で上体を幅方向に安定させ難く、背中、肩、首及び頭の幅方向の支持力が不足し、上体の安定性が不充分であった。
【０００５】
又上部各マットを男女別、床高に応じて上下反転して用いることができない不便があった。
【０００６】
【特許文献１】特開２０００−２４５５７８号
【発明の開示】
【発明が解決しようとする課題】
【０００７】
本発明は幅の狭い座部、背あて部及び頭あて部の上面及び下面を床面上に反転して用い大人、子供、男女及び床高に対応し得るばかりでなく、
【０００８】
マットが柔軟であるにも拘らず、幅方向の上体支持力が安定し、かつ上下両面共に吸湿性・通風性に富み、ＮＯ２の捕集能力大な三つ折り枕を得ることを目的とする。
【課題を解決するための手段】
【０００９】
上記の目的を達成するため本発明は
第１に縦断面長方形薄マットの一面、縦断面ほぼ直角３角形マットの底面及び縦断面ほぼ２等辺３角形マットの１辺を１枚の畳表で接続し、上記畳表を上記２等辺３角形マットの１辺を経て底辺から他辺に折返して該２等辺３角形マットを被覆し、さらにほぼ３６０度折返して上記直角３角形マットの直交２辺を被覆し、さらにほぼ３６０度折返して上記長方形薄マットの基端面、他面及び先端面を被覆し、上記３６０度折返し部及び上部長方形薄マットの先端面において接する畳表を縫着してなり、かつ上記畳表の藺草による緯条が上記マットの幅方向に織成され、その両端部表裏面を縁布を折返して被覆し、該縁布の内側端を緯条と直角方向に表裏縫着し、かつ該縁布の折返部外側端と上記各マットの側端面被覆布の縁部とを重合して、該重合部を上記緯条の外端部と共に緯条と直角方向に表裏縫着してなる三つ折り枕、
第２に上記畳表に代り藺草による花莚を用いる上記第１発明記載の三つ折り枕、
第３に上記２等辺３角形マットの両隅部を枕状に円弧形に形成した上記第１発明記載の三つ折り枕、
第４に上記長方形薄マットの一面、上記直角３角形マットの底面及び上記２等辺３角形マットの一辺が床面に１平面を形成する上記第１又は第２発明記載の三つ折り枕、
第５に上記長方形薄マットの他面、上記直角３角形マットの傾斜面及び上記２等辺３角形マットの一方の隅部を床面に１平面に支持される上記第１〜第３発明のいずれかに記載の三つ折り枕、
によって構成される。
【００１０】
従って上記３個のマットをそれぞれ１枚の畳表で被覆しかつ上記ほぼ３６０度折返し縫着部を側面において直線状又は屈曲自在に接続させることによって、上記３個のマットを１枚の畳表で被覆することができ、
【００１１】
藺草による上記幅方向緯条が、両端部表裏面の上記縁布を介して各マットの端面被覆布の縁部を幅方向両外側に向って突張って、各マットの外面は畳表の緯条によって幅方向に補強される。
【００１２】
又畳表の両縁布は内側及び外側に２条の縫着線により、畳表は補強され、上記３個のマットは上下全面の上記畳表により緯条の方向及び経条の方向に腰が強化される。
【発明の効果】
【００１３】
本発明は上述のように構成したので畳表が幅方向に突張り、かつ両縁布が経方向に補強されて上記３個のマット上下面に安定して上体を支持し得るばかりでなく、上記３個のマットを上下反転して安定使用が可能であり、かつ大人、子供、男女、床高差に適用し得る効果がある。
【発明を実施するための最良の形態】
【００１４】
図１及び図３（イ）図に示すように縦断面長方形薄マット１の一面１’（上面）、縦断面ほぼ直角３角形マット２の底面２ａ（上面）及び縦断面ほぼ２等辺３角形マット３の一辺３’（上面）を１枚の畳表４で接続する。該畳表に代り藺草による花莚でも差支えない。
【００１５】
上記畳表４を上記２等辺３角形マット３の底辺３ａから他辺３”に折返して該２等辺３角形マット３を被覆する。
【００１６】
上記２等辺３角形マット３の頂点では上記他辺３”をさらにほぼ３６０度折返３ｂに上記直角３角形マット２の直交２辺２’，２”を被覆する。
【００１７】
上記直角３角形マット２の上記薄マット１の基端面１ａに向う１辺２”の先端部折返２ｂは上記基端面１ａの厚さと同一厚さを有し、該先端部折返２ｂを被覆する畳表４は底面２ａに接してほぼ３６０度折返し２ｂして上記長方形薄マット１の基端面１ａから該薄マット１の他面１”（下面）及び先端面１ｂを被覆して、上記３個のマット１，２，３の幅方向全面を１枚の畳表４で被覆する。
【００１８】
上記３６０度折返し部２ｃ，３ｂ及び上記薄マット１の先端面１ｂにおいて互に接する畳表４を縫着５，６，７する（図１、図２）。
【００１９】
縫着５，６，７の手順は図７の（イ）（ロ）（ハ）（ニ）図に示すように先ず１枚の畳表４を（ロ）図のように環状に縫着７し、その後（ハ）図に示すように上記マット１，２，３を分離して環状畳表４に挿入し、さらに（ニ）図に示すようにほぼ３６０度折返される部分２ｃ，３ｂを平坦部分に縫着５，６すれば良い。
【００２０】
上記畳表４の藺草による緯条４’が上記マット１，２，３の幅Ｗの方向に織成され、その両端部４”，４”のそれぞれ表裏面を縁布８を折返して表裏均等幅ｗに被覆する（図５（イ）（ロ）図）。
【００２１】
そして上記折返し縁布８の内側端部を上記緯条４’，４’と直角方向に表裏縫着９し、かつ該縁布８の折返部外側端部と上記各マット１，２，３の側端面被覆布１０の縁部１０’を重合して、該重合部を上記緯条４’と直角方向に表裏縫着９’する。
【００２２】
上記２等辺３角形マット３の両隅部３ｃ，３ｃは枕状に円弧形に形成し、図４に示すように上記長方形薄マット１の一面１’、上記直角３角形マット２の底面２ａ及び上記２等辺３角形マット３の一辺３’を床面１１に接して１平面を形成することができる。
【００２３】
さらに図４に示す３個マット１，２，３を上下反転して図３（イ）図に示すように上記長方形薄マット１の他面１”、上記直角３角形マット２の傾斜面２”及び上記２等辺３角形マット３の一方の円弧形隅部３ｃを床面１１に１平面に支持し、直角３角形マット２の底面２ａ及び２等辺３角形３の他方の一辺３’を傾斜させ背あて部及び頭あて部を形成することができる。
【００２４】
上記マット１，２，３には成形された低反発ウレタン、硬綿、混綿等が用いられる。
【００２５】
図１、図３（イ）図、図４に示す使用方法の他に図２及び図３（ロ）図に示すように上記２等辺３角形マット３を縫着部６を中心に前方に回動し一辺３’を上記直角３角形マット２の底面２ａに接し、該２等辺３角形マット３の底面３ａを背あて部として用いることができる。
【００２６】
又図３（ハ）図に示すように上記長方形薄マット１を起して図３（ロ）図に示す底辺３ａに接することにより、上記マット１，２，３を小さく折畳むことができる。
【００２７】
尚図６に畳表４の藺草緯条４’と経条４ａとの織成状態の一実施例を示す。又緯条４’，４’の間に補強用合成樹脂製緯条を用いると良い。
【産業上の利用可能性】
【００２８】
本発明は上記３個のマット１，２，３を予め準備し、図７（イ）図に示す畳表４の両側縁に図５（イ）（ロ）図に示す縁布８，８をその内縁に沿って畳表４を挟んで縫着９し、
【００２９】
畳表４の両端を図７（ロ）図に示すように縫着７して環状となし
【００３０】
上記環状畳表４の内部に上記マット１，２，３を図７（ハ）図に示すように挿入した後、図７（ニ）図に示すように上記幅方向に縫着５，６してマット１，２，３を上述のように接続し、
【００３１】
その後各マット１，２，３の各両側端面を被覆布１０で被覆し、該被覆布１０の縁部１０’と上記縁布８の外側端折返部とを畳表４の側端縁を挟んで表裏縫着９’して製品とすることができる。
【００３２】
上記畳表４の表面には刺繍又は染色等を施すことによって畳表４に代わり花莚を用いることができる。
【図面の簡単な説明】
【００３３】
【図１】本発明の三つ折り枕の斜視図である。
【図２】ほぼ２等辺３角形マットを縫着線から前方に折返した状態の縦断側面図である。
【図３】（イ）図は上記直角３角形マットの底辺を斜上向に配置した状態の縦断側面図、（ロ）図は図２と同一の状態であって背もたれ部の傾斜角を比較的急となした縦断側面図、（ハ）図は（ロ）図の背もたれ部に上記長方形薄マットを接した状態を示す縦断側面図である。
【図４】図３（イ）図を上下反転した状態の縦断側面図である。
【図５】（イ）図は図１Ａ−Ａ線による縦断正面図の一部拡大図、（ロ）図は図１Ｂ−Ｂ線による縦断正面図の一部拡大図である。
【図６】畳表の実施例の一部拡大縦断正面図である。
【図７】（イ）図は畳表の斜視図、（ロ）図は環状に縫着した上記畳表の斜視図、（ハ）図は３ヶのマットを挿入した状態の側面図、（ニ）図は縫着状態の側面図である。
【符号の説明】
【００３４】
１          縦断面長方形薄マット
１’        一面
１”        他面
２          ほぼ直角３角形マット
２’，２”  直交２辺
２ａ        底面
２ｂ        折返し部
３          縦断面ほぼ２等辺３角形マット
３’        １辺
３”        他辺
３ａ        底辺
３ｂ        折返し部
４          畳表
４’        緯条
５，６，７  縫着部
Ｗ          幅
ｗ          均等幅
８          縁布
９，９’    表裏縫着部
１０        側端面被覆布
１０’      縁部
【図１】
2008029390.tif 000003
【図２】
2008029390.tif 000004
【図３】
2008029390.tif 000005
【図４】
2008029390.tif 000006
【図５】
2008029390.tif 000007
【図６】
2008029390.tif 000008
【図７】
2008029390.tif 000009